(57)【特許請求の範囲】
【請求項１】
雄側ハウジングと雌側ハウジングとをレバーによって嵌合・離脱させるようにしたコネクタにおいて、
前記雄側ハウジングには、雄端子金具と、前記雄端子金具を包囲するフード部と、前記雄端子金具を貫通させた状態で前記フード部内を移動するムービングプレートとが設けられ、
前記フード部にはその内周面から突出する第１カムフォロアが形成され、
前記ムービングプレートには、前記フード部の内周面に向かって突出する第２カムフォロアが形成され、
前記雌側ハウジングには、その外面にそって回動するように前記レバーが支持され、
前記レバーの外面には、前記第１カムフォロアと係合可能な第１カム溝が形成され、
前記レバーの内面には、前記第２カムフォロアと係合可能な第２カム溝が形成されていることを特徴とするレバー式コネクタ。
【請求項２】
前記レバーが、前記雌側ハウジングを挟むように配される一対のアーム部を有し、
前記一対のアーム部の内面には、夫々、前記第２カム溝が形成されており、
前記ムービングプレートに形成された一対の前記第２カムフォロアが、幅方向において中央位置から互いに反対方向へ外れた位置に配されていることを特徴とする請求項１記載のレバー式コネクタ。
【発明の詳細な説明】
【技術分野】
【０００１】
本発明は、レバー式コネクタに関するものである。
【背景技術】
【０００２】
レバー式コネクタとして、雄側ハウジングに形成したフード部と雌側ハウジングとをレバーによって嵌合させるようにしたものがある。レバーは、雄側ハウジングの外面に沿うように位置する一対のアーム部を操作部で連結した形態であり、アーム部は雄側ハウジングの外面に回動可能に支持されている。アーム部の内側面にはカム溝が形成され、雌側ハウジングの外面に突出形成したカムフォロアをカム溝に係合した状態でレバーを回動させると、両ハウジングが嵌合又は離脱されるようになっている。尚、フード部には、カムフォロアとの干渉を回避するための逃がし溝が形成されている。  
また、フード部内にはムービングプレートが設けられ、両ハウジングの嵌合前には、フード部内に突出している雄端子金具の先端部を、ムービングプレートの位置決め孔に貫通させることによって整列するようになっている。このムービングプレートは、上記レバーにより両ハウジングの嵌合に伴ってフード部の奥側へ移動するとともに、両ハウジングの離脱に伴ってフード部の開口部近くの位置に戻るようになっている。  
このようなレバー式コネクタとしては、特許文献１に記載されているものがある。
【特許文献１】特開平１１−９７１０５号公報
【発明の開示】
【発明が解決しようとする課題】
【０００３】
両ハウジングを嵌合させるためのレバーを利用してムービングプレートを移動させる手段としては、ムービングプレートの外側縁に形成したカムフォロアを、フード部の切欠溝からフード部の外へ突出させ、そのカムフォロアを、アーム部の内面に形成したカム溝に係合させる構造となる。  
ところが、この構造では、フード部の内面に、雌側ハウジングのカムフォロアが係合するカム溝と、ムービングプレートのカムフォロアが係合するカム溝の２つのカム溝が併存することになる。そのため、カム溝の軌道を設計するに際しては、カム溝同士の干渉（重なりや交差）を回避する必要があり、設計の自由度が低くなることは避けられない。  
本発明は上記のような事情に基づいて完成されたものであって、レバーにハウジング用とムービングプレート用の２つのカム溝を形成する場合において、カム溝の設計自由度を高めることを目的とする。
【課題を解決するための手段】
【０００４】
上記の目的を達成するための手段として、請求項１の発明は、雄側ハウジングと雌側ハウジングとをレバーによって嵌合・離脱させるようにしたコネクタにおいて、前記雄側ハウジングには、雄端子金具と、前記雄端子金具を包囲するフード部と、前記雄端子金具を貫通させた状態で前記フード部内を移動するムービングプレートとが設けられ、前記フード部にはその内周面から突出する第１カムフォロアが形成され、前記ムービングプレートには、前記フード部の内周面に向かって突出する第２カムフォロアが形成され、前記雌側ハウジングには、その外面にそって回動するように前記レバーが支持され、前記レバーの外面には、前記第１カムフォロアと係合可能な第１カム溝が形成され、前記レバーの内面には、前記第２カムフォロアと係合可能な第２カム溝が形成されているところに特徴を有する。
【０００５】
請求項２の発明は、請求項１に記載のものにおいて、前記レバーが、前記雌側ハウジングを挟むように配される一対のアーム部を有し、前記一対のアーム部の内面には、夫々、前記第２カム溝が形成されており、前記ムービングプレートに形成された一対の前記第２カムフォロアが、幅方向において中央位置から互いに反対方向へ外れた位置に配されているところに特徴を有する。
【発明の効果】
【０００６】
＜請求項１の発明＞
雌側ハウジングのカムフォロアに係合する第１カム溝と、ムービングプレートのカムフォロアに係合する第２カム溝を、レバーの外面と内面に分けて配置したので、カム溝の軌道の設計に際しては、双方のカム溝の干渉回避を考慮せずに済み、設計の自由度が高い。
【０００７】
＜請求項２の発明＞
ムービングプレートに形成された一対の第２カムフォロアが、幅方向において中央位置から互いに反対方向へ外れた位置に配されているので、ムービングプレートが、第２カム溝と第２カムフォロアとの係合位置を支点として傾く虞がない。
【発明を実施するための最良の形態】
【０００８】
＜実施形態１＞
以下、本発明を具体化した実施形態１を図１乃至図１０を参照して説明する。本実施形態のレバー式コネクタは、雄側ハウジング１０と雌側ハウジング２０とをレバー３０によって嵌合・離脱させるようにしたものである。尚、図１では、雄側ハウジング１０と雌側ハウジング２０の正確な側面形状をあらわすが、図２〜図１０では雌側ハウジング２０を省略してレバー３０のみをあらわすとともに、雄側ハウジング１０の形状を簡略化して描いている。  
雄側ハウジング１０は、上方（正面側）に向かって延出する角筒状のフード部１１を有し、フード部１１の奥端面（内底面）からは複数本の雄端子金具の上端（先端）の細長いタブ１２が上方（両ハウジング１０，２０の嵌合・離脱方向と平行な方向）へ且つ互いに平行に突出しており、これらの複数本のタブ１２はフード部１１によって包囲されている。フード部１１を構成する前面板１１Ｆと後面板１１Ｒには、夫々、フード部１１の開口部に近い位置であって、幅方向（左右方向）におけるほぼ中央の位置に配置された前後一対の第１カムフォロア１３Ｆ，１３Ｒが形成されている。この一対の第１カムフォロア１３Ｆ，１３Ｒは、円柱形をなし、前面板１１Ｆの内面からは後方へ突出されているとともに、後面板１１Ｒの内面からは前方へ突出されている。また、一対の第１カムフォロア１３Ｆ，１３Ｒは、互いに同軸状に配置されている。
【０００９】
フード部１１内には、ムービングプレート１４が上下方向（即ち、両ハウジング１０，２０の嵌合・離脱方向と平行方向）移動可能に収容されている。ムービングプレート１４は、両ハウジング１０，２０の嵌合・離脱方向と直角な方形の板状をなす本体部１５と、この本体部１５の外周縁から全周に亘って上方へ角筒状に延出する周壁部１６とからなる。本体部１５には、タブ１２と対応する複数の位置決め孔１５Ｈが上下に貫通して形成されている。ムービングプレート１４は、周壁部１６の外周面とフード部１１の内周面とに形成したガイド手段（図示せず）により、フード部１１の前面板１１Ｆ及び後面板１１Ｒとの間に所定の隙間を確保した状態で、両ハウジング１０，２０の嵌合・離脱方向と平行に移動し得るように案内されている。尚、ガイド手段としては、リブと溝の嵌め合い等の周知の構造を用ることができる。
【００１０】
周壁部１６を構成する前面壁１６Ｆと後面壁１６Ｒには、夫々、第２カムフォロア１７Ｆ，１７Ｒが形成されている。第２カムフォロア１７Ｆ，１７Ｒは、周壁部１６の開口縁（前面壁１６Ｆと後面壁１６Ｒの上端縁）よりも僅かに上方の位置に形成されており、軸線を第１カムフォロア１３Ｆ，１３Ｒと平行に向けた円柱形をなしている。前面壁１６Ｆに形成されている第２カムフォロア１７Ｆは、幅方向中央よりも右方に外れた位置においてフード部１１の内周面（前面板１１Ｆの内面）に向かって前方へ突出しており、後面壁１６Ｒに形成されている第２カムフォロア１７Ｒは、幅方向中央よりも左方（つまり、前面壁１６Ｆの第２カムフォロア１７Ｆとは反対側）に外れた位置においてフード部１１の内周面（後面板１１Ｒの内面）に向かって後方へ突出している。したがって、第１カムフォロア１３Ｆ，１３Ｒと第２カムフォロア１７Ｆ，１７Ｒは、幅方向（両ハウジング１０，２０の嵌合・離脱方向と直角な方向）において、互いに非対応となるように配置されている。
【００１１】
雌側ハウジング２０は、フード部１１内（即ち、ムービングプレート１４における周壁部１６で包囲された空間）に進入するようにして雄側ハウジング１０と嵌合される。雌側ハウジング２０の外面（前面と後面）には、軸線を前後方向に向けた略円柱形をなす一対の軸部２１が突出形成されており、この軸部２１にはレバー３０が回動可能に取り付けられている。
【００１２】
レバー３０は、前後一対の板状をなすアーム部３１Ｆ，３１Ｒを操作部３２によって連結した形態であり、両アーム部３１Ｆ，３１Ｒには、軸受孔３３が前後に貫通して形成されている。かかるレバー３０は、その軸受孔３３を軸部２１に嵌合させるとともに、両アーム部３１Ｆ，３１Ｒを雌側ハウジング２０の前面及び後面に沿わせる（重ねる）ようにして組み付けられている。かかるレバー３０は、軸部２１を中心として初期位置と嵌合位置との間で回動可能に支持されている。
【００１３】
前後両アーム部３１Ｆ，３１Ｒには、その外面を凹ませた形態であって、軸受孔３３を囲むように湾曲した第１カム溝３４Ｆ，３４Ｒが形成されている。この前後両第１カム溝３４Ｆ，３４Ｒの溝幅と軌道は、前後方向に視て互いに合致するような同一形態である。また、前後両アーム部３１Ｆ，３１Ｒには、その内面（第１カム溝３４Ｆ，３４Ｒとは反対側の面）を凹ませた形態であって、軸受孔３３を囲むように湾曲した第２カム溝３５Ｆ，３５Ｒが形成されている。この前後両第２カム溝３５Ｆ，３５Ｒの溝幅と軌道は同一の形態であるが、前後方向に視たときには、互いに合致しないように配置されている。つまり、前後２つの第２カム溝３５Ｆ，３５Ｒは、軸受孔３３を中心として周方向に所定角度だけずれた位置関係となっている。したがって、アーム部３１Ｆ，３１Ｒの外周縁における前後両第２カム溝３５Ｆ，３５Ｒの入り口も、互いに異なる位置に開口している。
【００１４】
次に、本実施形態の作用を説明する。  
両ハウジング１０，２０を嵌合する前の状態では、ムービングプレート１４が図示しない周知の係止手段により整列位置（図８及び図９を参照）に仮保持されている。この状態では、位置決め孔１５Ｈがタブ１２の先端（上端）に嵌合されており、これにより、複数のタブ１２が雌側ハウジング２０内に取り付けられている雄端子金具（図示せず）と対応するように整列されている。また、レバー３０は、雌側ハウジング２０に対して図示しない周知の係止手段により初期位置（図８及び図９を参照）に仮保持されている。レバー３０が初期位置にある状態では、第１カム溝３４Ｆ，３４Ｒの入り口と第２カム溝３５Ｆ，３５Ｒの入り口が、第１カムフォロア１３Ｆ，１３Ｒと第２カムフォロア１７Ｆ，１７Ｒに対応するように位置する。
【００１５】
この状態で、雌側ハウジング２０の下端部を浅くフード部１１内（ムービングプレート１４内）に進入させると、アーム部３１Ｆ，３１Ｒの下端部がフード部１１の前面板１１Ｆとムービングプレート１４の前面壁１６Ｆとの隙間及び後面板１１Ｒと後面壁１６Ｒとの隙間に差し込まれ、図６及び図９に示すように、第１カム溝３４Ｆ，３４Ｒの入り口に第１カムフォロア１３Ｆ，１３Ｒが進入するとともに、第２カム溝３５Ｆ，３５Ｒの入り口に第２カムフォロア１７Ｆ，１７Ｒが進入する。
【００１６】
この状態からレバー３０を嵌合位置へ回動させると、第１カム溝３４Ｆ，３４Ｒと第１カムフォロア１３Ｆ，１３Ｒとの係合により両ハウジング１０，２０が引き寄せられて両ハウジング１０，２０の嵌合が進む。また、レバー３０の回動によって雄側ハウジング１０に対して雌側ハウジング２０が接近するのに伴い、第２カム溝３５Ｆ，３５Ｒと第２カムフォロア１７Ｆ，１７Ｒとの係合により、雌側ハウジング２０とムービングプレート１４とが僅かに接近又は離間しつつ概ね一体となってフード部１１の奥方（図５〜図１０における下方）へ移動する。このムービングプレート１４の移動に伴い、タブ１２における位置決め孔１５Ｈの嵌合位置は、タブ１２の先端側から基端側（下端側）へ移動する。
【００１７】
そして、レバー３０が嵌合位置まで回動されると、両ハウジング１０，２０が正規の嵌合状態に至るとともに、ムービングプレート１４が位置決め孔１５Ｈをタブ１２の基端部に嵌合させる退避位置（図１０を参照）に到達する。  
この正規嵌合の状態から両ハウジング１０，２０を離脱させる際には、レバー３０を嵌合位置から初期位置へ回動させる。レバー３０の回動に伴い、第１カム溝３４Ｆ，３４Ｒと第１カムフォロア１３Ｆ，１３Ｒとの係合により、両ハウジング１０，２０が次第に離れていくとともに、第２カム溝３５Ｆ，３５Ｒと第２カムフォロア１７Ｆ，１７Ｒとの係合によりムービングプレート１４が雌側ハウジング２０と概ね一体となってフード部１１の入り口側へ移動する。そして、レバー３０が初期位置に達すると、第１カムフォロア１３Ｆ，１３Ｒが第１カム溝３４Ｆ，３４Ｒの入り口に位置するとともに、第２カムフォロア１７Ｆ，１７Ｒが第２カム溝３５Ｆ，３５Ｒの入り口に位置し、レバー３０がフード部１１及びムービングプレート１４から離間し得る状態となる。あとは、雌側ハウジング２０とともにレバー３０を雄側ハウジング１０から外せばよい。
【００１８】
上述のように、本実施形態では、雌側ハウジング２０の第１カムフォロア１３Ｆ，１３Ｒに係合する第１カム溝３４Ｆ，３４Ｒと、ムービングプレート１４の第２カムフォロア１７Ｆ，１７Ｒに係合する第２カム溝３５Ｆ，３５Ｒを、レバー３０のアーム部３１Ｆ，３１Ｒの外面と内面とに分けて配置したので、カム溝の軌道の設計に際しては、双方のカム溝の干渉回避を考慮せずに済む。したがって、設計の自由度が高い。  
また、ムービングプレート１４に形成された前後一対の第２カムフォロア１７Ｆ，１７Ｒは、幅方向（左右方向）において中央位置から互いに反対方向へ外れた位置に配されているので、ムービングプレート１４が、第２カム溝３５Ｆ，３５Ｒと第２カムフォロア１７Ｆ，１７Ｒとの係合位置を支点として傾く虞がない。
【００１９】
＜実施形態２＞
次に、本発明を具体化した実施形態２を図１１ないし図１３を参照して説明する。本実施形態２は、ムービングプレート１４の周壁部１６の内周に防水用のシールリング４０を固着して、シールリング４０の奥端部と本体部１５との間に周壁部１６の内周に沿った凹部４１を形成するとともに、雌側ハウジング２０の嵌合方向先端部外周に、凹部４１に嵌合可能な周方向に延びる凸部４２を形成したものである。  
ムービングプレート１４が整列位置（図１１を参照）にある状態で両ハウジング１０，２０を浅く嵌合させ、第１カムフォロア１３Ｆ，１３Ｒを第１カム溝３４Ｆ，３４Ｒの入り口に進入させるとともに、第２カムフォロア１７Ｆ，１７Ｒを第２カム溝３５Ｆ，３５Ｒの入り口に進入させると、図１３に示すように、凸部４２が凹部４１に嵌合することにより、雌側ハウジング２０とムービングプレート１４とが嵌合・離脱方向への相対移動を規制されるので、雌側ハウジング２０と雄側ハウジング１０とが浅く嵌合した状態に仮保持される。これにより、この後の雌側ハウジング２０を掴んでいる手をレバー３０に持ち変える作業を、容易に行うことができる。また、凹部４１と凸部４２とが嵌合している状態では、レバー３０を回動している間、ムービングプレート１４と雌側ハウジング２０は相対移動せずに一体となってフード部１１内を移動する。  
尚、その他の構成については上記実施形態１と同じであるため、同じ構成については、同一符号を付し、構造、作用及び効果の説明は省略する。
【００２０】
＜他の実施形態＞
本発明は上記記述及び図面によって説明した実施形態に限定されるものではなく、例えば次のような実施態様も本発明の技術的範囲に含まれる。  
（１）上記実施形態ではレバーが一対のアーム部を有する形態としたが、本発明によれば、レバーが一枚板状であってもよい。  
（２）上記実施形態ではムービングプレートに形成された一対の第２カムフォロアを、幅方向において中央位置から互いに反対方向へ外れた位置に配したが、本発明によれば、一対の第２カムフォロアを、幅方向における中央位置に配置してもよい。
【図面の簡単な説明】
【００２１】
【図１】実施形態１の雄側ハウジングと雌側ハウジングを離脱した状態をあらわす背面図
【図２】雄側ハウジングのフード部とムービングプレートとレバーをあらわす斜視図
【図３】フード部とレバーをあらわす斜視図
【図４】ムービングプレートとレバーをあらわす一部切欠斜視図
【図５】両ハウジングを嵌合する前の状態をあらわす断面図
【図６】両ハウジングを浅く嵌合してカムフォロアをカム溝の入口に進入させた状態をあらわす断面図
【図７】両ハウジングが正規嵌合した状態をあらわす断面図
【図８】両ハウジングを嵌合する前の状態をあらわす断面図
【図９】両ハウジングを浅く嵌合してカムフォロアをカム溝の入口に進入させた状態をあらわす断面図
【図１０】両ハウジングが正規嵌合した状態をあらわす断面図
【図１１】実施形態２において両ハウジングを嵌合する前の状態をあらわす断面図
【図１２】実施形態２において両ハウジングが正規嵌合した状態をあらわす断面図
【図１３】実施形態２において両ハウジングを浅く嵌合した状態をあらわす断面図
【符号の説明】
【００２２】
１０…雄側ハウジング
１１…フード部
１３Ｆ，１３Ｒ…第１カムフォロア
１４…ムービングプレート
１７Ｆ，１７Ｒ…第２カムフォロア
２０…雌側ハウジング
３０…レバー
３１Ｆ，３１Ｒ…アーム部
３４Ｆ，３４Ｒ…第１カム溝
３５Ｆ，３４Ｒ…第２カム溝
【図１】
0004622930.tif 000002
【図２】
0004622930.tif 000003
【図３】
0004622930.tif 000004
【図４】
0004622930.tif 000005
【図５】
0004622930.tif 000006
【図６】
0004622930.tif 000007
【図７】
0004622930.tif 000008
【図８】
0004622930.tif 000009
【図９】
0004622930.tif 000010
【図１０】
0004622930.tif 000011
【図１１】
0004622930.tif 000012
【図１２】
0004622930.tif 000013
【図１３】
0004622930.tif 000014